【事件の表示】
　特願２００２−１９９２１８「情報処理装置及び方法及びプログラム」拒絶査定不服審判事件〔平成１５年　６月　６日出願公開、特開２００３−１６２５２０〕について、次のとおり審決する。
【結　論】
　本件審判の請求は、成り立たない。
【理　由】
１．手続の経緯
　本願は、平成１４年７月８日（優先権主張平成１３年９月１４日）の出願であって、平成１８年８月１６日付けで拒絶理由通知がなされ、同年１０月１９日付けで手続補正がなされたが、同年１１月１５日付けで拒絶査定がなされ、これに対し、同年１２月２５日に拒絶査定不服審判の請求がなされるとともに、平成１９年１月２３日付けで手続補正がなされたものである。
　
２．平成１９年１月２３日付けの手続補正についての補正却下の決定
［補正却下の決定の結論］
　平成１９年１月２３日付けの手続補正を却下する。
　
［理由］
（１）補正後の請求項１に係る発明
　本件手続補正により、特許請求の範囲の請求項１は、
「複数の原稿ページからなるドキュメントデータに対して、印刷装置で印刷処理される印刷物の印刷体裁設定を含む印刷設定を行う情報処理装置において、
　アプリケーションにより生成されるドキュメントデータを印刷処理する際に、１枚の印刷用紙に何ページ分の原稿ページを配置するかを示す印刷レイアウトの印刷体裁設定を設定する印刷設定手段と、
　複数の原稿ページからなるドキュメントデータに、前記印刷設定手段により設定される印刷体裁設定を付与してメモリに記憶して管理する管理手段と、
　印刷処理すべき範囲を、前記印刷装置で印刷処理される印刷用紙の通し番号で指定する指定手段と、
　前記メモリに記憶されているドキュメントデータに設定されている印刷体裁設定に基づいて、前記印刷装置で印刷処理される印刷用紙の中で、前記指定手段で指定される通し番号の印刷用紙に配置される原稿ページを判断する判断手段と、
　前記判断手段により判断されたすべての原稿ページに相当するドキュメントデータを前記管理手段から取得する取得手段と、
　前記取得手段により取得された原稿ページに相当するドキュメントを描画データとして受け取り、該受け取った描画データを前記印刷装置で印刷すべく、前記印刷体裁設定に従って印刷データに変換する変換手段と
を備えることを特徴とする情報処理装置。」
と補正された。
　
　上記補正は、補正前の請求項１における「前記取得手段により取得された原稿ページに相当するドキュメントを描画データとして受け取り、該受け取った描画データを前記印刷装置で印刷すべく印刷データに変換する変換手段」を「前記取得手段により取得された原稿ページに相当するドキュメントを描画データとして受け取り、該受け取った描画データを前記印刷装置で印刷すべく
、前記印刷体裁設定に従って
　そこで、本件手続補正後の上記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例
　原査定の拒絶の理由に引用された特開平１１−２１９２４７号公報（以下、「引用例」という。）には、図面とともに次の事項が記載されている。
　
Ａ．「【０００１】
【発明の属する技術分野】本発明は電子的なドキュメントを処理するドキュメント処理装置に関し、特に複数のドキュメントを合成した合成ドキュメントを印刷する装置に関する。」
　
Ｂ．「【００１８】
【発明の実施の形態】図１には、比較例に係るドキュメント処理装置による表示例が示されている。ここで、このドキュメント処理装置は、複数のドキュメントを合成する機能と、その合成により得られた合成ドキュメント中における特定の印刷面のイメージを表示する機能と、を有している。
【００１９】図１に示す表示例１００において、操作部１０２は、表示操作のためのアイコンやメニューなどが表示される部分である。ページリスト表示部１０４は、印刷面通し番号をユーザー選択させるためにページリストが表示される部分である。ここで、この比較例において、合成されたドキュメントは例えば５０個（ページ）の印刷面で構成され、それらは１０個の印刷面単位で束ねられて表示されている。この図１に示す例では、印刷面通し番号１１〜２０については展開表示されており、すなわち第１１番目の印刷面通し番号から第２０番目の印刷面通し番号までの各印刷面通し番号が個別的に階層表示されている。ちなみに、アイコン１０８は印刷面通し番号の束が展開されていないことを示しており、一方、アイコン１１０は印刷面通し番号の束が展開されていることを示している。特定の印刷面通し番号に対するユーザー選択は例えばカーソル１２０によるクリックによって行われる。
【００２０】印刷面イメージ表示部１０６は、符号１１２で示すように、ページリスト表示部１０４上においてユーザー指定された特定の印刷面通し番号の印刷イメージ１１４が表示される領域である。図１に示す例では、上述した２アップ指定がなされた印刷面のイメージが表示されており、具体的には、印刷面の左側及び右側にそれぞれ１つずつページイメージ１１６及び１１８が割付られている。ここで、符号１２０及び１２２は、ドキュメント合成前においてユーザーによって割り当てられた各ページイメージのページ番号（オリジナルページ番号）を示すものであり、ここでは２８ページ及び２９ページが割り当てられている。これらのページ番号はイメージとしてページイメージ中に挿入されているものである。したがって、そのページ番号を修正したい場合には、ドキュメント合成前の各ドキュメントのページ番号指定を変更する必要がある。
【００２１】図１に示すような比較例においては、印刷面通し番号を指定することにより、当該印刷面の内容は確認することが可能であるが、その印刷面内に含まれる１又は複数のページイメージについて、合成ドキュメント上でのページイメージ通し番号を確認することはできない。また、図１に示す比較例におけるページリスト表示部１０４では、合成ドキュメントにおけるドキュメント間の区切りを視覚的に認識することができない。
【００２２】そこで、本実施形態のドキュメント処理装置においては、ページイメージ通し番号の管理機能及び先頭管理機能を有しており、その機能によって図２及び図３に示すような表示を行うことが可能である。
【００２３】図２には、本実施形態に係る表示画面の一例が示されており、図１との対比では、特にページリスト表示部１０４に表されるリストの構成が異なっている。すなわち、本実施形態のドキュメント処理装置によれば、まず、ページリスト上においてドキュメントの区切りを示す先頭マーク２００を表示できる。そして、この先頭マーク２００を確認し、さらにその先頭マーク２００が付与された印刷面通し番号２０２をカーソル１２０等によってクリックすれば、図２に示すようなページイメージ通し番号２０４を展開表示させることが可能である。すなわち、本実施形態では、各印刷面通し番号２０２ごとにページイメージ通し番号２０４が対応付けられており、印刷面通し番号２０２を指定することにより、それに対応付けられたページイメージ通し番号２０４を画面上に表すことができる。ここでは、印刷面通し番号１８にページイメージ通し番号として３５及び３６が対応付けられており、図１のように表示される印刷面イメージ１１４における左側イメージ１１６が第３５番目のページイメージであること、及び、右側のイメージ１１８が第３６番目のページイメージであること、が表される。」
　
Ｃ．「【００３２】次に、図５に基づいて本実施形態のドキュメント処理装置の構成について説明する。
【００３３】入力部１０には印刷ジョブとしての電子的なドキュメントが入力される。ここで、そのドキュメントは例えばページ記述言語で記述されたものであるが、ビットマップイメージにより構成されたドキュメントであってもよい。入力部１０を介して入力されたドキュメントは一旦記憶装置１２上に格納される。ジョブ合成部１４は、必要に応じてユーザーにより選択された複数のドキュメントを合成し、合成ドキュメントを生成する処理部である。イメージ生成部１６は例えばページ記述言語に基づいて各ページのイメージ（ページイメージ）を生成する手段である。これにより生成されたページイメージは、必要に応じて印刷制御部１８を介して印刷装置２０に送られ、その結果、各用紙に対してイメージの印刷が行われる。ちなみに、上述した面付け処理は、例えば表示制御部２８あるいは印刷制御部１８によって行われる。
【００３４】通し番号管理部２２は、合成ドキュメント中における各印刷面単位の印刷面通し番号２０２と各ページイメージ単位のページイメージ通し番号２０４とを対応づけて管理する手段である。その管理に当たって管理テーブル２４が利用され、その具体的な内容については後に図６を用いて説明する。操作部２６は、例えばマウスやキーボードなどで構成されるものである。」
　
Ｄ．「【００３６】図６には、図５に示した管理テーブル２４の具体的な構成例が示されている。ここで、（Ａ）には合成ドキュメントの構成が例示されており、（Ｂ）にはそのような合成ドキュメントを管理する場合における管理テーブル２４の内容が例示されている。この例においては、合成ドキュメントは４つのドキュメントで構成されており、ドキュメント２及びドキュメント３に対しては１つの印刷面に対して２つずつページイメージを割り付ける２アップ指定がなされている。
【００３７】このように合成ドキュメントが構成される場合、（Ｂ）に示すような管理テーブル２４が構成される。すなわち、管理テーブル２４は印刷面通し番号とページイメージ通し番号と先頭フラグとで構成されるものであり、各印刷面通し番号ごとにそれに対応するページイメージ通し番号が対応付けられている。さらに、ドキュメントの先頭の印刷面通し番号あるいはページイメージ通し番号には先頭フラグが付与されている。」
　
Ｅ．「【００３９】次に、図７〜図９を用いて図５に示したドキュメント処理装置の動作について説明する。
【００４０】図７には、管理テーブル２４の作成にかかる処理が示されている。Ｓ１０１では印刷面通し番号Ｋについての初期設定が行われ、すなわちＫに１が代入される。Ｓ１０２では、ページイメージ通し番号Ｌに対する初期設定が行われ、すなわち、Ｌに０が代入される。Ｓ１０３では、ジョブ合成部１４によって作成された合成ドキュメントから１ドキュメントが取得される。Ｓ１０４では、図８に示すようなイメージ作成処理が実行され、Ｓ１０５では、最終ドキュメントか否かが判定される。すなわち、各ドキュメントごとにＳ１０３及びＳ１０４の工程が繰り返し実行される。
【００４１】図８には、図７に示したＳ１０４の具体的な処理内容が示されている。Ｓ２０１では、イメージ作成の準備として、１印刷面分の記憶領域とドキュメント中の１ページ分の一次記憶領域とがメモリ上に設定される。Ｓ２０２では、図５に示したイメージ作成部１６によって１ページ分の印刷イメージ（ページイメージ）が作成され、そのページイメージが上記のように設定された一次記憶領域に格納される。Ｓ２０３では、ページイメージ通し番号Ｌが１つだけインクリメントされる。
【００４２】Ｓ２０４では、上記のように一時記憶領域に格納されたページイメージが１印刷面分の記憶領域へ割付られる。すなわち、面付け指定がされている場合には、指定された面付け方法にしたがってページイメージの割付が行われる。ちなみに、面付け指定がされていないような場合、生成されたページイメージを直接的に１印刷面分の記憶領域に割り付ける処理を行ってもよい。
【００４３】Ｓ２０５では、最終ページまで処理が行われた否かが判定され、Ｓ２０６では、１印刷面についてのイメージの割付が完了したか否かが判定される。すなわち、例えば２アップ指定がなされている場合において、処理対象となっている印刷面に対して１つのみページイメージの割付が行われている場合には、Ｓ２０２以降の各工程が実行され、一方、当該印刷面に対して２つのページイメージの割付が完了している場合には、Ｓ２０７以降の各工程が実行される。
【００４４】Ｓ２０７では、印刷面通し番号Ｋが１つインクリメントされる。そして、Ｓ２０８では、一印刷面分のイメージが記憶装置１２へ保存される。
【００４５】Ｓ２０５において、最終のページイメージまで処理されたと判定された場合には、Ｓ２０９において、最後の印刷面における未イメージ割付部分が白紙ページとされる。もちろん、このＳ２０９は面付け指定がされていない場合にはスキップされ、あるいはそのような未イメージ割付部分が存在していない場合にもスキップされる。Ｓ２１０においては、Ｓ２０９において白紙ページ指定がなされた場合に、ページイメージ通し番号Ｌに白紙ページ分の数値が加算される。Ｓ２１１においては印刷面通し番号Ｋがひとつインクリメントされ、Ｓ２１２においては１印刷面分のイメージが記憶装置１２へ保存される。
【００４６】よって、この図８に示す各処理を各ドキュメントについて行うことによって、記憶装置１２上に合成ドキュメントにおける各印刷面に相当するイメージが格納される。これと同時に、印刷面通し番号Ｋとページイメージ通し番号Ｌとの関係に基づいて図６に示した管理テーブルが構成されることになる。ちなみに、図７及び図８には示していないが、各ドキュメントの先頭が判定されており、その判定結果に基づいて管理テーブル上において先頭フラグが付加されている。」
　
Ｆ．「【００４７】図９には、表示制御部２８の具体的な処理内容が示されている。Ｓ３０１においては、リスト作成部３０によって管理テーブルの内容が参照され、それによってページリストが作成される。その後、表示装置３４に当該ページリストが表示されることになる。これと並行して、Ｓ３０２ではリスト作成部３０によって先頭フラグが参照され、ページリスト上におけるドキュメントの先頭に対応する箇所に先頭マークとしてのアイコンが表示されることになる。
【００４８】Ｓ３０３ではユーザーによる指示の入力待ち状態とされ、Ｓ３０４では、印刷面通し番号に対するユーザー指定があったか否かが判定される。ここで、そのような指示がなければＳ３０７において終了指示があったか否かが判断され、そのような終了指示があればこの処理は終了する。一方、Ｓ３０４において印刷面通し番号に対するユーザー指示があったと判定された場合には、Ｓ３０５においてそのように指示された印刷面通し番号に対応するページイメージ番号が表示画面上に階層表示されることになる。すなわち図２及び図３に示したような表示が行われる。その表示と並行して、Ｓ３０６では、表示イメージ作成部３２によって表示すべきページイメージに基づいて表示イメージが作成され、印刷面イメージ表示部１０６の内容が更新されることになる。そして図９に示す処理がユーザーによる終了指示があるまで順次繰り返される。」
　
　上記Ｃの段落【００３３】には、「これにより生成されたページイメージは、必要に応じて印刷制御部１８を介して印刷装置２０に送られ、その結果、各用紙に対してイメージの印刷が行われる。」と記載されており、上記引用例のものは、必要に応じて印刷装置によって用紙に印刷を行うことが前提となっているものと解されるから、上記Ｅの記載において行われる「印刷面に対するページイメージの割り付け」は、「印刷装置で印刷処理される印刷物の印刷体裁設定を含む印刷設定」であるということができ、かつ、該「印刷体裁設定」は、「１印刷面に何ページ分のページイメージを配置するかを示す印刷レイアウトの印刷体裁設定」であるということができる。
　
　よって、上記Ａ〜Ｆの記載及び関連する図面を参照すると、引用例には、実質的に、次の発明が記載されているものと認められる。（以下、「引用例記載の発明」という。）
「複数のページイメージからなるドキュメントに対して、印刷装置で印刷処理される印刷物の印刷体裁設定を含む印刷設定を行うドキュメント処理装置において、
　ドキュメントを印刷処理する際に、１印刷面に何ページ分のページイメージを配置するかを示す印刷レイアウトの印刷体裁設定を設定する印刷設定手段と、
　複数のページイメージからなるドキュメントと前記印刷設定手段により設定される印刷体裁設定とを対応付けて管理テーブルとして記憶して管理する通し番号管理部と、
　表示装置に表示すべきページイメージを、印刷面通し番号で指定する指定手段と、
　前記ドキュメントに設定されている印刷体裁設定に基づいて、前記指定手段で指定される印刷面通し番号の印刷面に配置されるページイメージを判断する判断手段と、
　前記判断手段により判断されたページイメージに相当するドキュメントを取得する取得手段と、
　前記取得手段により取得されたページイメージに相当するドキュメントを前記表示装置で表示すべく、前記印刷体裁設定に従って表示データに変換する変換手段とを備え、
　生成されたページイメージを、必要に応じて印刷制御部を介して印刷装置に送り、各用紙に対してイメージの印刷を行うドキュメント処理装置。」
　
（３）対比
　本願補正発明と引用例記載の発明とを対比すると、次のことがいえる。
　
（あ）引用例記載の発明における「ページイメージ」、「ドキュメント」、「ドキュメント処理装置」は、それぞれ、本願補正発明における「原稿ページ」、「ドキュメントデータ」、「情報処理装置」に相当する。
　
（い）「印刷体裁設定」は、引用例記載の発明においては、「１印刷面に」何ページ分のページイメージを配置するかを設定するものであり、本願補正発明においては、「１枚の印刷用紙に」何ページ分の原稿ページを配置するかを設定するものであるが、「１印刷面または１枚の印刷用紙に」何ページ分を配置するかを設定するものである点で共通するということができる。（なお、以下の対比においても、引用例記載の発明における「印刷面」と、本願補正発明における「印刷用紙」の共通点を、「印刷面または印刷用紙」という表現で表す。）
　
（う）引用例記載の発明において、「管理テーブル」は、何らかのメモリに記憶されるものと解される。ただし、引用例の図６（Ｂ）に見られるように、上記「管理テーブル」は、あくまで番号データの対応付けがなされているものであり、「複数のページイメージからなるドキュメント」そのものに「印刷体裁設定」が付与されているものではない。
　一方、本願補正発明における「複数の原稿ページからなるドキュメントデータに、印刷設定手段により設定される印刷体裁設定を付与してメモリに記憶して管理する管理手段」は、本願補正発明の「取得手段」が「管理手段」から「ドキュメントデータ」を取得していることからすると、「複数の原稿ページからなるドキュメントデータ」そのものに「印刷体裁設定」が付与されているものと解される。
　しかしながら、本願補正発明と引用例記載の発明とは、「複数の原稿ページからなるドキュメントデータと印刷設定手段により設定される印刷体裁設定とを対応付けてメモリに記憶して管理する管理手段」を有する点において共通するということができる。
　
（え）引用例記載の発明において、「表示装置に表示すべきページイメージ」は、必要に応じて印刷制御部を介して印刷装置に送られ、各用紙に対してイメージの印刷が行われるドキュメントデータである。
　よって、引用例記載の発明における「表示装置に表示すべきページイメージを、印刷面通し番号で指定する指定手段」と、本願補正発明における「印刷処理すべき範囲を、前記印刷装置で印刷処理される印刷用紙の通し番号で指定する指定手段」とは、「印刷されるドキュメントデータを印刷面または印刷用紙の通し番号で指定する指定手段」である点で共通するということができる。
　
（お）上記（う）で述べたように、引用例記載の発明において、「管理テーブル」は、何らかのメモリに記憶されるものと解されるから、「印刷体裁設定」も、何らかのメモリに記憶されるものであるということができる。
　よって、引用例記載の発明における「ドキュメントに設定されている印刷体裁設定に基づいて、指定手段で指定される印刷面通し番号の印刷面に配置されるページイメージを判断する判断手段」と、本願補正発明における「メモリに記憶されているドキュメントデータに設定されている印刷体裁設定に基づいて、印刷装置で印刷処理される印刷用紙の中で、指定手段で指定される通し番号の印刷用紙に配置される原稿ページを判断する判断手段」とは、「メモリに記憶されているドキュメントデータに設定されている印刷体裁設定に基づいて、指定手段で指定される印刷面または印刷用紙の通し番号の印刷面または印刷用紙に配置される原稿ページを判断する判断手段」である点で共通するということができる。
　
（か）上記（え）で述べたように、引用例記載の発明において、「表示装置に表示すべきページイメージ」は、必要に応じて印刷制御部を介して印刷装置に送られ、各用紙に対してイメージの印刷が行われるドキュメントデータである。
　してみれば、引用例記載の発明における「取得手段により取得されたページイメージに相当するドキュメントを表示装置で表示すべく、印刷体裁設定に従って表示データに変換する変換手段」のような「表示データ」への変換動作を行う「変換手段」と同様に、「印刷データ」への変換動作を行う「変換手段」も、引用例記載の発明は、実質的に備えると解される。
　よって、本願補正発明と引用例記載の発明とは、ともに、「取得手段により取得された原稿ページに相当するドキュメントを描画データとして受け取り、該受け取った描画データを印刷装置で印刷すべく、印刷体裁設定に従って印刷データに変換する変換手段」を備える点で共通するということができる。
　
　上記（あ）〜（か）の事項を踏まえると、本願補正発明と引用例記載の発明とは、次の点で一致し、また、相違するものと認められる。
　
（一致点）
　本願補正発明と引用例記載の発明とは、ともに、
「複数の原稿ページからなるドキュメントデータに対して、印刷装置で印刷処理される印刷物の印刷体裁設定を含む印刷設定を行う情報処理装置において、
　ドキュメントデータを印刷処理する際に、１印刷面または１枚の印刷用紙に何ページ分の原稿ページを配置するかを示す印刷レイアウトの印刷体裁設定を設定する印刷設定手段と、
　複数の原稿ページからなるドキュメントデータと印刷設定手段により設定される印刷体裁設定とを対応付けてメモリに記憶して管理する管理手段と、
　印刷されるドキュメントデータを印刷面または印刷用紙の通し番号で指定する指定手段と、
　前記メモリに記憶されているドキュメントデータに設定されている印刷体裁設定に基づいて、前記指定手段で指定される印刷面または印刷用紙の通し番号の印刷面または印刷用紙に配置される原稿ページを判断する判断手段と、
　前記判断手段により判断された原稿ページに相当するドキュメントデータを取得する取得手段と、
　前記取得手段により取得された原稿ページに相当するドキュメントを描画データとして受け取り、該受け取った描画データを前記印刷装置で印刷すべく、前記印刷体裁設定に従って印刷データに変換する変換手段とを備える情報処理装置。」
である点。
　
（相違点）
　相違点１：「ドキュメントデータ」が、本願補正発明においては、「アプリケーションにより生成される」ものであるとされているのに対し、引用例記載の発明においては、「アプリケーションにより生成される」ものであると特定されていない点。
　
　相違点２：「印刷体裁設定」が、本願補正発明においては、「印刷用紙」に対してなされているのに対し、引用例記載の発明においては、「印刷面」に対してなされている点。
　
　相違点３：本願補正発明においては、「管理手段」が、「複数の原稿ページからなるドキュメントデータ」に、印刷設定手段により設定される印刷体裁設定を「付与して」メモリに記憶するものであり、「取得手段」が、判断手段により判断された「すべての」原稿ページに相当するドキュメントデータを「管理手段」から取得するものであるのに対し、引用例記載の発明においては、そのようなものであるとはされていない点。
　
　相違点４：本願補正発明においては、「指定手段」が、「印刷処理すべき範囲を、印刷装置で印刷処理される印刷用紙の通し番号で指定する」ものであり、「判断手段」が、「印刷装置で印刷処理される印刷用紙の中で、指定手段で指定される通し番号の印刷用紙に配置される原稿ページを判断する」ものであるのに対し、引用例記載の発明においては、そのようなものであるとはされていない点。
　
（４）判断
　そこで、上記相違点１〜４について検討する。
　
（相違点１について）
　「ドキュメントデータ」を「アプリケーションにより生成」することは、ごく普通に行われていることにすぎない。
　よって、引用例記載の発明における「ドキュメントデータ」を「アプリケーションにより生成される」ものとすることは、当業者が容易に想到し得ることである。
　
（相違点２について）
　本願補正発明において、「印刷用紙」に対する印刷の態様を、「片面印刷」を行うものとするか、あるいは「両面印刷」を行うものとするかは何ら特定されておらず、本願補正発明は、「印刷用紙」に対して「片面印刷」を行うものも含むものと認められる。
　そして、「印刷用紙」に対して「片面印刷」を行う場合には、「印刷用紙」に対してなされる「印刷体裁設定」と、「印刷面」に対してなされる「印刷体裁設定」とは、同等のものであることは、当業者にとって明らかである。
　よって、「印刷用紙」に対して「片面印刷」を行うものも含む本願補正発明における「印刷用紙」に対する「印刷体裁設定」は、引用例記載の発明における「印刷面」に対する「印刷体裁設定」と相違しないものを含んでいる。
　そして、このことは、上記相違点２に係る本願補正発明の発明特定事項（「印刷用紙」に対する「印刷体裁設定」）により規定される技術的範囲が、引用例記載の発明が具備する構成（「印刷面」に対する「印刷体裁設定」）の一部を含んでいることを意味するから、上記相違点２は、本願補正発明の進歩性を根拠付ける相違点ではない。
　
（相違点３について）
　引用例記載の発明における「通し番号管理部」は、「管理テーブル」によって、「印刷面通し番号」と「ページイメージ通し番号」の対応付けの管理を行うものであり、「複数のページイメージからなるドキュメント」そのもののデータをも蓄積して管理するものではない。
　しかしながら、「複数のページイメージからなるドキュメント」そのもののデータを蓄積するメモリまでをも含めて「管理手段」と称し、「複数の原稿ページからなるドキュメントデータ」に、印刷設定手段により設定される印刷体裁設定を「付与して」メモリに記憶する「管理手段」と称するようにすることは、当業者が適宜になし得ることである。
　また、原稿ページの印刷を行う場合に、所望の原稿ページの「すべて」を取得するようにすることは当然のことであるから、引用例記載の発明において、「取得手段」を、判断手段により判断された「すべての」原稿ページに相当するドキュメントデータを「管理手段」から取得するものとすることも、当業者が適宜になし得ることである。
　
（相違点４について）
　引用例の上記Ｂの段落【００２０】には、「印刷面イメージ表示部１０６は、符号１１２で示すように、ページリスト表示部１０４上においてユーザー指定された特定の印刷面通し番号の印刷イメージ１１４が表示される領域である。図１に示す例では、上述した２アップ指定がなされた印刷面のイメージが表示されており、具体的には、印刷面の左側及び右側にそれぞれ１つずつページイメージ１１６及び１１８が割付られている。」と記載されており、ユーザがある特定の印刷面通し番号を指定したときの表示例が図１に示されている。
　ここで、一般に、データの印刷を行う場合に、範囲指定を行って所望のデータの印刷を行うようにすることは、例えば、原査定の備考欄において周知例として引用された特開２００１−１９５２２０号公報の段落【０１０６】〜【０１０７】及び図２０に見られるような周知技術にすぎないから、引用例の図１の表示例のものにおいて、印刷面通し番号の範囲指定を行って所望の印刷面の印刷を行うようにすることは、当業者が適宜になし得ることである。
　そして、上記「相違点２について」の検討で述べたように、「印刷用紙」に対して「片面印刷」を行うような場合には、「印刷面」と「印刷用紙」とは同等のものになるから、印刷面通し番号の範囲指定を行うことは、印刷装置で印刷処理される印刷用紙の通し番号の範囲指定を行うことと同等のものになる。
　同じく、「判断手段」によって行われる「指定手段で指定される印刷面通し番号の印刷面に配置されるページイメージを判断する」ことも、「印刷用紙」に対して「片面印刷」を行うような場合には、「指定手段で指定される通し番号の印刷用紙に配置される原稿ページを判断する」ことと同等のものになる。
　よって、引用例記載の発明において、データ印刷の範囲指定を行う上記周知技術を参酌し、「指定手段」を「印刷処理すべき範囲を、印刷装置で印刷処理される印刷用紙の通し番号で指定する」ものとし、「判断手段」を「印刷装置で印刷処理される印刷用紙の中で、指定手段で指定される通し番号の印刷用紙に配置される原稿ページを判断する」ものとすることは、当業者が適宜になし得ることである。
　
（本願補正発明の作用効果について）
　そして、本願補正発明の構成によってもたらされる効果も、引用例記載の発明及び上記周知技術から当業者が容易に予測することができる程度のものであって、格別のものとはいえない。
　
　したがって、本願補正発明は、引用例記載の発明及び上記周知技術に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成１９年１月２３日付けの手続補正は、上記のとおり却下されたので、本願の請求項１に係る発明は、平成１８年１０月１９日付け手続補正書の特許請求の範囲の請求項１に記載されたとおりの次のものと認める。（以下、「本願発明」という。）
「複数の原稿ページからなるドキュメントデータに対して、印刷装置で印刷処理される印刷物の印刷体裁設定を含む印刷設定を行う情報処理装置において、
　アプリケーションにより生成されるドキュメントデータを印刷処理する際に、１枚の印刷用紙に何ページ分の原稿ページを配置するかを示す印刷レイアウトの印刷体裁設定を設定する印刷設定手段と、
　複数の原稿ページからなるドキュメントデータに、前記印刷設定手段により設定される印刷体裁設定を付与してメモリに記憶して管理する管理手段と、
　印刷処理すべき範囲を、前記印刷装置で印刷処理される印刷用紙の通し番号で指定する指定手段と、
　前記メモリに記憶されているドキュメントデータに設定されている印刷体裁設定に基づいて、前記印刷装置で印刷処理される印刷用紙の中で、前記指定手段で指定される通し番号の印刷用紙に配置される原稿ページを判断する判断手段と、
　前記判断手段により判断されたすべての原稿ページに相当するドキュメントデータを前記管理手段から取得する取得手段と、
　前記取得手段により取得された原稿ページに相当するドキュメントを描画データとして受け取り、該受け取った描画データを前記印刷装置で印刷すべく印刷データに変換する変換手段と
を備えることを特徴とする情報処理装置。」
　
（２）引用例
　これに対して、原査定の拒絶の理由に引用された引用例とその記載事項は、上記２．（２）に記載したとおりである。
　
（３）対比・判断
　本願発明は、上記２．で検討した本願補正発明における「変換手段」における特定の限定を省いたものである。
　そうすると、本願発明の構成要件を全て含み、さらに特定の限定を施したものに相当する本願補正発明が、上記２．（４）に記載したとおり、引用例記載の発明及び上記周知技術に基いて、当業者が容易に発明をすることができたものであるから、上記特定の限定を省いた本願発明は、同様に、引用例記載の発明及び上記周知技術に基いて、当業者が容易に発明をすることができたものである。
　
（４）むすび
　以上のとおり、本願発明は、引用例記載の発明及び上記周知技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。